(57)【要約】      （修正有） 【課題】家具等の転倒防止用等の伸縮ポールにおいて、伸縮調整機能、シンプル構造、安価、環境適合性、デザイン性を充たした、伸縮ポールを提供する。【解決手段】ネジを形成する構造体を一組の木製概円筒体と木製概円柱体の加工品若しくは一組の金属製パイプ等とし、転造加工等で形成した正弦波状概丸形等の適正螺旋ネジ螺合だけで大伸縮調整行う構造とし、木製構造品においては一組のネジ螺合構造品だけ、金属パイプ構造品においては夫々にプラスチック製伸縮ポール支持設置構造体を設置するシンプル組合せ構造とした。【選択図】図１
0003141641.tif 000002
【実用新案登録請求の範囲】
【請求項１】
伸縮ポールにおいて、伸縮機能部構造を雄ネジと雌ネジの適正遊合螺旋ネジ螺合だけで行う構造とするとともに、螺旋ネジの形状を、三角ネジ、もしくは台形ネジ、もしくは角部をＲ面取り形状とした角丸三角形、もしくは角部をＲ面取り形状とした角丸台形、もしくは正弦波状概丸形、もしくは正弦波状概丸形および角丸三角形で雄ネジ、雌ネジとも山部の頂点部に若干の平坦部を有する形状とした頂点平坦正弦波状概丸形、頂点平坦角丸三角形等の構造とし、且つ雄ネジと雌ネジの形成を切削せず、転造もしくはプレス等の加工方法で形成する構造としたことを特徴とした、伸縮ポール。
【請求項２】
請求項１記載において、雄ネジ及び雌ネジ構造体構造を、ネジ形成前構造において両者とも円筒のストレート金属パイプ構造で且つ雄ネジ用金属パイプの外径と雌ネジ金属パイプの内径とがネジ形成後において適正遊合螺旋ネジ螺合構造となる範囲の遊合嵌合となる金属パイプを用いて、それぞれに雄ネジ及び雌ネジを全長、若しくは必要機能長さにて形成し、適正遊合螺旋ネジ螺合構造とするとともに、金属パイプ雄ネジ構造体及び金属パイプ雌ネジ構造体のそれぞれの伸縮ポール設置構造体設置面側に金属パイプ雄ネジ構造体及び金属パイプ雌ネジ構造体のそれぞれの外径部に嵌合する垂直支持用のザグリ穴を有し且つ伸縮ポールの必要機能を充たす伸縮ポール設置構造体との設置面及び筐体構造を有するプラスチック製金属伸縮ポール支持設置構造体を設置する組合せ構造としたことを特徴とした、伸縮ポール。
【請求項３】
請求項１、２記載において、金属パイプ雌ネジ構造体のプラスチック製金属伸縮ポール支持設置構造体ザグリ穴嵌合部をネジ無しのストレート円筒形状とするともに、その外径を金属パイプ雄ネジ構造体の雄ネジ頂点部外径と近似同一径もしくは若干の小径とし、プラスチック製金属伸縮ポール支持設置構造体を雄ネジ側と雌ネジ側を同一構造体としたことを特徴とした、伸縮ポール。
【請求項４】
請求項１記載において、雌ネジ構造体構造を木製の円筒体もしくは正方体もしくは長方体とするとともに、雌ネジ形成前構造を雌ネジ谷径と同一もしくは雌ネジ谷径より適正遊合間欠螺旋ネジ螺合構造となる範囲で若干大きくした貫通穴を開けた構造体とし、その貫通穴に適正遊合間欠螺旋ネジ螺合構造となる近似雄ネジ形状等の金型をセットした状態で雌ネジ構造体外周の複数方向から円筒軸中心に対し平行に加圧し雌ネジを形成した、木製分割円弧状雌ネジ構造とし、伸縮機能部構造を木製適正遊合間欠螺旋ネジ螺合構造としたことを特徴とした、伸縮ポール。
【請求項５】
請求項１、４記載において、雄ネジ構造体構造を外周全雄ネジの木製全ストレート円柱全雄ネジ構造体もしくは伸縮ポール設置側端面となる片端面側にネジ外形より大きい円形のフランジ部を設けフランジ部とその根元部を除く全外周に雄ネジを設置した木製一体フランジ付円柱雄ネジ構造体とするとともに、雌ネジ構造体構造を、雄ネジとの螺合側端面から機能上必要充分な長さだけ螺旋雌ネジもしくは間欠螺旋雌ネジを設置し残りの内径部を雌ネジ谷径より若干大きい逃げ内径構造とし且つ外形部をストレート構造とした木製大伸縮調整代対応円筒（間欠螺旋雌ネジにおいては圧縮面が平坦面もしくは楕円形状の円筒体構造）部分雌ネジ構造体とし、木製雌ネジ構造体と木製雄ネジ構造体との一対のシンプル組合せ構造としたことを特徴とした、伸縮ポール。
【請求項６】
請求項１，４記載において、雄ネジ構造体構造を、伸縮調整仕様範囲の最大値長さを全長とし、且つ、ストレート円柱体に雌ネジ構造体との螺合端面側外形部に雌ネジ構造体より若干長い長さで有効螺旋雄ネジを設けネジを設置しない外形部に雌ネジ構造体の伸縮調整代寸法に０.８を乗じた値よりも小さいピッチで鋸切断ガイド用溝を飾り溝兼用等の構造で施した木製切断ガイド溝付ストレート円柱部分雄ネジ構造体、もしくは雌ネジ構造体との螺合端面側外形部に雌ネジ構造体より若干長い長さで有効螺旋雄ネジを設け且つ伸縮ポール設置構造体設置面側を雄ネジ外形よりも太く長い大径円柱部を有する構造とし更にその外径部に雌ネジ構造体の伸縮調整代寸法に０.８を乗じた値よりも小さいピッチで鋸切断ガイド用溝を飾り溝兼用等の構造で施した木製段・切断ガイド溝付円柱部分雄ネジ構造体とするとともに、雌ネジ構造体構造を、強度含めた必要機能充分なる適正遊合螺旋ネジ螺合寸法もしくは適正遊合間欠螺旋ネジ螺合寸法に雄ネジ構造体の鋸切断ガイド用溝ピッチ寸法に１.２を乗じた値以上の寸法とした伸縮調整寸法を加算した長さ寸法とした小伸縮調整代対応の円筒体（間欠螺旋ネジにおいては圧縮面が平坦面もしくは楕円形構造）もしくは正方形体もしくは長方形体の木製小伸縮調整代対応雌ネジ構造体とし、円柱雄ネジ構造体の長さを両側伸縮ポール設置構造体の間隔より鋸切断ガイド溝ピッチ以下の範囲で短くなるよう伸縮ポール設置構造体設置面側を鋸切断ガイド用溝位置で顧客等が切断して合わす構造とし、木製雌ネジ構造体を木製雄ネジ構造体の片端面に螺合組合せする一対のシンプル組合せ構造としたことを特徴とした、伸縮ポール。
【請求項７】
請求項１〜４、６記載において、木製雌ネジ構造体、若しくはプラスチック製金属伸縮ポール支持設置構造体に伸縮ポール設置構造体締結木用ネジ用ザグリ段差穴を複数設けた構造としたことを特徴とした、伸縮ポール。
【請求項８】
請求項１〜７記載において、雌ネジ構造体、若しくは雌ネジ構造体及び雄ネジ構造体の両者に、ネジ螺合伸縮調整回転用ザグリ穴もしくは貫通穴を軸中心で対象となる構造で設置した構造としたことを特徴とした、伸縮ポール。
【請求項９】
請求項１、４〜８記載において、木製雌ネジ構造体、若しくは木製雌ネジ構造体及び木製雄ネジ構造体の両者の伸縮ポール設置構造体設置面側底面に、伸縮ポール設置構造体締結木用ネジ用ザグリ段差穴等との干渉及び伸縮ポール設置構造体との必要接合面積特性等強度含めた必要機能に支障を及ぼすことの無い且つ外周に平坦面が確保される構造で、木製雌ネジ構造体、木製雄ネジ構造体それぞれの外形寸法より若干小さい外径で、更にゴムの潰れ代（ゴムの端面からの出っ張り高さ）が位置ずれ防止の機能を有し且つ伸縮ポール設置の適正突っ張り（圧縮）荷重近似値での潰れ寸法となる深さ、等を考慮した市販寸法のゴムＯリングに適合したＯリング状の溝を設け、その溝にＯリングを組込む構造としたことを特徴とした、伸縮ポール。
【請求項１０】
請求項１、２、３記載において、プラスチック製金属伸縮ポール支持設置構造体の伸縮ポール設置構造体設置面側底面に、ゴムの潰れ代（ゴムの端面からの出っ張り高さ）が位置ずれ防止の機能を有し且つ伸縮ポール設置の適正突っ張り（圧縮）荷重近似値での潰れ寸法となる深さ、等を考慮した円柱状ゴムの形状に合わせたザグリ穴を外周近郊部に対象形構造で複数設け、そのザグリ穴部に円柱状ゴムを組込む構造としたことを特徴とした、伸縮ポール。
【考案の詳細な説明】
【技術分野】
【０００１】
本考案は、家具等の転倒防止等に多く用いられる伸縮ポールに関するものである。
【背景技術】
【０００２】
家具等の転倒防止用等の伸縮ポールにおいて、大伸縮調整対応基本特性機能を有する伸縮ポールの従来考案は、伸縮ポールを家具等の設置体と接合する上下個々の分離ベースフランジ構造体と、遊合嵌合する内径と外径が近似値の上下一組のストレート金属パイプ、および上下金属パイプ伸縮嵌合ロック機構、更にネジ螺合小伸縮調整機構等の金属品とプラスチック品の複合部品の組合せ構造品が主流である。又、伸縮ポールの位置ずれ、外れ止め等の対策はスプリング圧縮加圧方式等が考案されている。この例として特許文献１や特許文献２に開示されているものがある。
【特許文献１】実開1996−3028704号広報
【特許文献２】実開1995−3017893号広報
【考案の開示】
【考案が解決しようとする課題】
【０００３】
上記公開文献に開示されている考案含め従来の考案は、多数の複合部品の組合せ構造で高価であり、且つ室内家具等に設置するものに要求されるインテリアデザイン性に欠ける。大伸縮調整対応基本特性機能、適正設置性、および位置ずれ・外れ防止機能を有し、シンプル構造で、且つ安価で、更にインテリアデザイン性を有した、顧客ニーズに叶う、伸縮ポールを提供することを課題とする。
【課題を解決するための手段】
【０００４】
この課題を解決するための請求項１の考案は、伸縮ポールにおいて、伸縮機能部構造を雄ネジと雌ネジの適正遊合螺旋ネジ螺合だけで行う構造とするとともに、螺旋ネジの形状を、三角ネジ、もしくは台形ネジ、もしくは角部をＲ面取り形状とした角丸三角形、もしくは角部をＲ面取り形状とした角丸台形、もしくは正弦波状概丸形、もしくは正弦波状概丸形および角丸三角形で雄ネジ、雌ネジとも山部の頂点部に若干の平坦部を有する形状とした頂点平坦正弦波状概丸形、頂点平坦角丸三角形等の構造とし、且つ雄ネジと雌ネジの形成を切削せず、転造もしくは多工程プレス等の加工方法で形成する構造とした。本考案により安価シンプル構造化及びシンプル構造と螺旋ネジ溝外形によるインテリアデザイン性の改善が可能となり、且つ木製螺合嵌合での圧縮形成によるネジ部強度アップ及び螺合高さ調整性（摺動性アップによる）の改善を図ることができ環境に優しく、インテリアデザイン性に優れた伸縮ポールの木製化が実現できる。
【０００５】
請求項２の考案は、請求項１記載において、雄ネジ及び雌ネジ構造体構造を、ネジ形成前構造において両者とも円筒のストレート金属パイプ構造で且つ雄ネジ用金属パイプの外径と雌ネジ金属パイプの内径とがネジ形成後において適正遊合螺旋ネジ螺合構造となる範囲の遊合嵌合となる金属パイプを用いて、それぞれに雄ネジ及び雌ネジを全長、若しくは必要機能長さにて形成し、適正遊合螺旋ネジ螺合構造とするとともに、金属パイプ雄ネジ構造体及び金属パイプ雌ネジ構造体のそれぞれの伸縮ポール設置構造体設置面側に金属パイプ雄ネジ構造体及び金属パイプ雌ネジ構造体のそれぞれの外径部に嵌合する垂直支持用のザグリ穴を有し且つ伸縮ポールの必要機能を充たす伸縮ポール設置構造体との設置面及び筐体構造を有するプラスチック製金属伸縮ポール支持設置構造体を設置する組合せ構造とした。本考案により、金属パイプ使用構造でのシンプル安価化及びシンプル構造と螺旋ネジ溝外形によるインテリアデザイン性の改善が可能となる。
【０００６】
請求項３の考案は、請求項１、２記載において、金属パイプ雌ネジ構造体のプラスチック製金属伸縮ポール支持設置構造体ザグリ穴嵌合部をネジ無しのストレート円筒形状とするともに、その外径を金属パイプ雄ネジ構造体の雄ネジ頂点部外径と近似同一径もしくは若干の小径とし、プラスチック製金属伸縮ポール支持設置構造体を雄ネジ側と雌ネジ側を同一構造体とした。本考案により、金型投資削減等による更なる安価化が可能となる。
【０００７】
請求項４の考案は、請求項１記載において、雌ネジ構造体構造を木製の円筒体もしくは正方体もしくは長方体とするとともに、雌ネジ形成前構造を雌ネジ谷径と同一もしくは雌ネジ谷径より適正遊合間欠螺旋ネジ螺合構造となる範囲で若干大きくした貫通穴を開けた構造体とし、その貫通穴に適正遊合間欠螺旋ネジ螺合構造となる近似雄ネジ形状等の金型をセットした状態で雌ネジ構造体外周の複数方向から円筒軸中心に対し平行に加圧し雌ネジを形成した、木製分割円弧状雌ネジ構造とし、伸縮機能部構造を木製適正遊合間欠螺旋ネジ螺合構造とした。本考案により、環境保護に適合した木製のシンプル構造化及び木製雌ネジ構造体の量産性の向上を図り更なる安価化が可能となる。
【０００８】
請求項５の考案は、請求項１、４記載において、雄ネジ構造体構造を外周全雄ネジの木製全ストレート円柱全雄ネジ構造体もしくは伸縮ポール設置側端面となる片端面側にネジ外形より大きい円形のフランジ部を設けフランジ部とその根元部を除く全外周に雄ネジを設置した木製一体フランジ付円柱雄ネジ構造体とするとともに、雌ネジ構造体構造を、雄ネジとの螺合側端面から機能上必要充分な長さだけ螺旋雌ネジもしくは間欠螺旋雌ネジを設置し残りの内径部を雌ネジ谷径より若干大きい逃げ内径構造とし且つ外形部をストレート構造とした木製大伸縮調整代対応円筒（間欠螺旋雌ネジにおいては圧縮面が平坦面もしくは楕円形状の円筒体構造）部分雌ネジ構造体とし、木製雌ネジ構造体と木製雄ネジ構造体との一対のシンプル組合せ構造とした。本考案により、シンプル構造化が実現でき、安価で、且つ環境保護に適合した木製（ゴムの木等）でインテリアデザイン性に優れた伸縮ポールの提供が可能となる。又、雌ネジの必要部分雌ネジ構造化で摺動抵抗の軽減効果による螺合高さ調整性の改善を図ることができる。
【０００９】
請求項６の考案は、請求項１，４記載において、雄ネジ構造体構造を、伸縮調整仕様範囲の最大値長さを全長とし、且つ、ストレート円柱体に雌ネジ構造体との螺合端面側外形部に雌ネジ構造体より若干長い長さで有効螺旋雄ネジを設けネジを設置しない外形部に雌ネジ構造体の伸縮調整代寸法に０.８を乗じた値よりも小さいピッチで鋸切断ガイド用溝を飾り溝兼用等の構造で施した木製切断ガイド溝付ストレート円柱部分雄ネジ構造体、もしくは雌ネジ構造体との螺合端面側外形部に雌ネジ構造体より若干長い長さで有効螺旋雄ネジを設け且つ伸縮ポール設置構造体設置面側を雄ネジ外形よりも太く長い大径円柱部を有する構造とし更にその外径部に雌ネジ構造体の伸縮調整代寸法に０.８を乗じた値よりも小さいピッチで鋸切断ガイド用溝を飾り溝兼用等の構造で施した木製段・切断ガイド溝付円柱部分雄ネジ構造体とするとともに、雌ネジ構造体構造を、強度含めた必要機能充分なる適正遊合螺旋ネジ螺合寸法もしくは適正遊合間欠螺旋ネジ螺合寸法に雄ネジ構造体の鋸切断ガイド用溝ピッチ寸法に１.２を乗じた値以上の寸法とした伸縮調整寸法を加算した長さ寸法とした小伸縮調整代対応の円筒体（間欠螺旋ネジにおいては圧縮面が平坦面もしくは楕円形構造）もしくは正方形体もしくは長方形体の木製小伸縮調整代対応雌ネジ構造体とし、円柱雄ネジ構造体の長さを両側伸縮ポール設置構造体の間隔より鋸切断ガイド溝ピッチ以下の範囲で短くなるよう伸縮ポール設置構造体設置面側を鋸切断ガイド用溝位置で顧客等が切断して合わす構造とし、木製雌ネジ構造体を木製雄ネジ構造体の片端面に螺合組合せする一対のシンプル組合せ構造とした。本考案により、シンプル構造化が実現でき、より安価で、且つ環境保護に適合した木製（ゴムの木等）でインテリアデザイン性に優れた伸縮ポールの提供が可能となる。又、雄ネジおよび雌ネジの必要部分ネジ構造化で摺動抵抗の軽減効果による螺合高さ調整性の改善を図ることができる。
【００１０】
請求項７の考案は、請求項１〜４、６記載において、木製雌ネジ構造体、若しくはプラスチック製金属伸縮ポール支持設置構造体に伸縮ポール設置構造体締結木用ネジ用ザグリ段差穴を複数設けた構造とした。本考案により地震時の振動等による伸縮ポールの位置ずれ、外れ防止を図り、且つ伸縮ポールの小型化および転倒防止特性の向上を図ることができる。
【００１１】
請求項8の考案は、請求項１〜７記載において、雌ネジ構造体、若しくは雌ネジ構造体及び雄ネジ構造体の両者に、ネジ螺合伸縮調整回転用ザグリ穴もしくは貫通穴を軸中心で対象となる構造で設置した構造とした。本考案により螺合高さ調整性の向上を図ることができる。
【００１２】
請求項９の考案は、請求項１、４〜８記載において、木製雌ネジ構造体、若しくは木製雌ネジ構造体及び木製雄ネジ構造体の両者の、伸縮ポール設置構造体設置面側底面に、伸縮ポール設置構造体締結木用ネジ用ザグリ段差穴等との干渉及び伸縮ポール設置構造体との必要接合面積特性等強度含めた必要機能に支障を及ぼすことの無い且つ外周に平坦面が確保される構造で、木製雌ネジ構造体、木製雄ネジ構造体それぞれの外形寸法より若干小さい外径で、更にゴムの潰れ代（ゴムの端面からの出っ張り高さ）が位置ずれ防止の機能を有し且つ伸縮ポール設置の適正突っ張り（圧縮）荷重近似値での潰れ寸法となる深さ、等を考慮した市販寸法のゴムＯリングに適合したＯリング状の溝を設け、その溝にＯリングを組込む構造とした。本考案により地震時の振動等による伸縮ポールの位置ずれ、外れの防止を図り、且つ適正突っ張り（圧縮）荷重螺合高さ調整化の改善を図ることができる。
【００１３】
請求項１０の考案は、請求項１、２、３記載において、プラスチック製金属伸縮ポール支持設置構造体の伸縮ポール設置構造体設置面側底面に、ゴムの潰れ代（ゴムの端面からの出っ張り高さ）が位置ずれ防止の機能を有し且つ伸縮ポール設置の適正突っ張り（圧縮）荷重近似値での潰れ寸法となる深さ、等を考慮した円柱状ゴムの形状に合わせたザグリ穴を外周近郊部に対象形構造で複数設け、そのザグリ穴部に円柱状ゴムを組込む構造とした。本考案により地震時の振動等による伸縮ポールの位置ずれ、外れの防止を図り、且つ適正突っ張り（圧縮）荷重螺合高さ調整化の改善を図ることができる。
【考案の効果】
【００１４】
前項「課題を解決するための手段」で、請求項１から請求項１０の考案による効果について個々に記載したとおり、本発明により、大伸縮調整対応基本特性機能、適正設置性、および位置ずれ・外れ防止機能を有し、シンプル構造で、且つ安価で、環境保護に適合し、更にインテリアデザイン性を有した、顧客ニーズに叶う、伸縮ポールの提供が可能となる。
【考案を実施するための最良の形態】
【００１５】
図１は、請求項の１、５、８，９を適用した伸縮ポールであり、雄ネジ構造体をゴムＯリング設置木製一体フランジ付円柱雄ネジ構造体とし、雌ネジ構造体を大調整代対応ゴムＯリング設置木製円筒部分雌ネジ構造体とするとともに、ネジの形成を圧縮形成とした頂点平坦正弦波状概丸形の雄ネジと雌ネジの適正遊合螺旋ネジ螺合機能だけで全伸縮調整を行う構造で、木製一体フランジ付円柱頂点平坦正弦波状概丸形雄ネジ構造体と木製円筒部分頂点平坦正弦波状概丸形雌ネジ構造体の一対のシンプル組合せ構造とした大調整代対応シンプル木製伸縮ポールの全体正面図である。図２は図１記載の木製一体フランジ付円柱頂点平坦正弦波状概丸形雄ネジ構造体の、ゴムＯリングおよびネジ螺合伸縮調整回転用ザグリ穴、飾り溝を設置したフランジ部から頂点平坦正弦波状概丸形雄ネジ部の部分拡大図であり、図３は、大調整代対応木製円筒部分頂点平坦正弦波状概丸形雌ネジ構造体の雄ネジ構造体との螺合側端面頂点平坦正弦波状概丸形雌ネジ部の部分拡大図である。又、図４は図１記載の、木製円筒部分頂点平坦正弦波状概丸形雌ネジ構造体設置端面側下面図である。
【００１６】
図５は、請求項の１、４、６、７〜９を適用した伸縮ポールであり、雄ネジ構造体を顧客等が飾り溝兼用鋸切断ガイド用溝部で概略全長合わせ切断を行う木製段・切断ガイド溝付円柱部分雄ネジ構造体とし、雌ネジ構造体をゴムＯリングおよび伸縮ポール設置構造体締結木用ネジ用ザグリ段差穴更に飾り溝を設置した小調整代対応木製円筒雌ネジ構造体とするとともに、ネジの形成を圧縮形成とした角丸台形雄ネジと４分割円弧状角丸台形雌ネジの適正遊合間欠螺旋ネジ螺合機能にて伸縮調整を行う構造で、木製段・切断ガイド溝付円柱部分角丸台形雄ネジ構造体と小調整代対応木製円筒４分割円弧状角丸台形雌ネジ構造体の一対のシンプル組合せ構造とした、顧客概略全長合わせ切断式小調整代対応シンプル木製伸縮ポールの全体正面図である。図６は図５記載の、木製円筒４分割円弧状角丸台形雌ネジ構造体設置端面側下面図である。４分割円弧状角丸台形雌ネジ圧縮形成のため外周４面に平坦面が形成されている。又、木製円筒４分割円弧状角丸台形雌ネジ構造体に伸縮ポール設置構造体締結木用ネジ用ザグリ段差穴を３個設けているが、壁際に設置された家具等の転倒防止機能においては伸縮ポールを家具の上面壁際に設置するのが機能上有効であり、伸縮ポール設置の適正突っ張り（圧縮）荷重螺合高さ調整後に反壁側の１箇所もしくは２箇所の木用ネジ締結で大きな機能ＵＰとなる。図７は図５記載のゴムＯリングおよび伸縮ポール設置構造体締結木用ネジ用ザグリ段差穴更に飾り溝を設置し、４分割円弧状角丸台形雌ネジ構造とした小調整代対応木製円筒４分割円弧状角丸台形雌ネジ構造体の拡大断面図であり、図８は図５記載の木製段・切断ガイド溝付円柱部分角丸台形雄ネジ構造体の角丸台形雄ネジ先端部の部分拡大図である。
【００１７】
図９は、請求項の１〜３、８、１１を適用した伸縮ポールであり、雄ネジ及び雌ネジ構造体構造を、ネジ形成前構造において両者とも円筒の金属パイプ構造で且つ雄ネジ用金属パイプの外径と雌ネジ金属パイプの内径とがネジ形成後において適正遊合螺旋ネジ螺合構造となる隙間０.５mm程度の遊合嵌合となる市販標準金属パイプを用いて、それぞれに適正遊合螺旋螺合ネジを形成する転造正弦波状概丸形ネジを、金属パイプ雄ネジ構造体においては全長さ、金属パイプ雌ネジ構造体においては金属伸縮ポール支持設置構造体の金属パイプ垂直支持用ザグリ穴に挿入する部分を除いた全長さで設け、且つ金属パイプ雌ネジ構造体の金属パイプ垂直支持用ザグリ穴挿入部分を転造絞り加工等により外径（Ｄ５３）を金属パイプ雄ネジ構造体の雄ネジ山部頂点外径（Ｄ６１）より０.５mm程度の小径とするとともに、適正遊合螺旋螺合ネジ嵌合した金属パイプ雄ネジ構造体及び金属パイプ雌ネジ構造体の両側に、伸縮ポール設置構造体との設置底面の両端近傍に円柱状ゴムを設け、且つ金属パイプ垂直支持用のザグリ穴を、穴内周面に軽圧入対応垂直リブを等分割に４個所、１mm程度の高さで、且つリブ頂点内径（Ｄ７１）が金属パイプ雄ネジ構造体の雄ネジ山部頂点外径（Ｄ６１）より小さく、且つ金属パイプ雌ネジ構造体の金属パイプ垂直支持用ザグリ穴挿入部外径（Ｄ５３）より大きい径となる構造で設置し、伸縮ポールの必要機能を充たす伸縮ポール設置構造体との設置面構造と筐体構造を有する、同一のプラスチック製金属伸縮ポール支持設置構造体を、金属パイプ雄ネジ構造体側においては軽圧入嵌合、金属パイプ雌ネジ構造体側においては遊合嵌合にて設置する組合せ構造とした、大調整代対応金属パイプ転造螺旋ネジ螺合式シンプル伸縮ポールの全体正面図である。
【図面の簡単な説明】
【００１８】
【図１】図１は、請求項の１、５、８，９を適用した伸縮ポールであり、雄ネジ構造体をゴムＯリング設置木製一体フランジ付円柱雄ネジ構造体とし、雌ネジ構造体を大調整代対応ゴムＯリング設置木製円筒部分雌ネジ構造体とするとともに、ネジの形成を圧縮形成とした頂点平坦正弦波状概丸形の雄ネジと雌ネジの遊合螺旋ネジ螺合機能だけで全伸縮調整を行う構造で、木製一体フランジ付円柱頂点平坦正弦波状概丸形雄ネジ構造体と木製円筒部分頂点平坦正弦波状概丸形雌ネジ構造体の一対のシンプル組合せ構造とした大調整代対応シンプル木製伸縮ポールの全体正面図である。
【図２】図２は、図１記載の木製一体フランジ付円柱頂点平坦正弦波状概丸形雄ネジ構造体の、ゴムＯリングおよびネジ螺合伸縮調整回転用ザグリ穴、飾り溝を設置したフランジ部から頂点平坦正弦波状概丸形雄ネジ部の部分拡大図である。伸縮ポール設置体接合端面中央部には伸縮調整回転時の摺動抵抗軽減のため凹状の逃げを設けている。
【図３】図３は、図１記載の大調整代対応木製円筒部分頂点平坦正弦波状概丸形雌ネジ構造体の雄ネジ構造体との螺合側端面頂点平坦正弦波状概丸形雌ネジ部の部分拡大図である。
【図４】図４は、図１記載の木製円筒部分頂点平坦正弦波状概丸形雌ネジ構造体設置端面側下面図である。
【図５】図５は、請求項の１、４、６、７〜９を適用した伸縮ポールであり、雄ネジ構造体を顧客等が飾り溝兼鋸切断ガイド用溝部で概略全長合わせ切断を行う木製段・切断ガイド溝付円柱部分雄ネジ構造体とし、雌ネジ構造体をゴムＯリングおよび伸縮ポール設置構造体締結木用ネジ用ザグリ段差穴を設置した小調整代対応木製円筒雌ネジ構造体とするとともに、ネジの形成を圧縮形成とした角丸台形雄ネジと４分割円弧状角丸台形雌ネジの遊合間欠螺旋ネジ螺合機能だけで全伸縮調整を行う構造で、木製段・切断ガイド溝付円柱部分角丸台形雄ネジ構造体と小調整代対応木製円筒４分割円弧状角丸台形雌ネジ構造体の一対のシンプル組合せ構造とした、顧客概略全長合わせ切断式小調整代対応シンプル木製伸縮ポールの全体正面図である。
【図６】図６は、図５記載の木製円筒４分割円弧状角丸台形雌ネジ構造体設置端面側下面図である。
【図７】図７は、図５記載のゴムＯリングおよび伸縮ポール設置構造体締結木用ネジ用ザグリ段差穴更に飾り溝を設置し、４分割円弧状角丸台形雌ネジ構造とした小調整代対応木製円筒４分割円弧状角丸台形雌ネジ構造体の拡大断面図である。
【図８】図８は、図５記載の木製段・切断ガイド溝付円柱部分角丸台形雄ネジ構造体の角丸台形雄ネジ先端部の部分拡大図である。
【図９】図９は、請求項の１〜４、８、１１を適用した伸縮ポールであり、雄ネジ及び雌ネジ構造体構造を、ネジ形成前構造において両者とも円筒の金属パイプ構造で且つ雄ネジ用金属パイプの外径と雌ネジ金属パイプの内径とがネジ形成後において適正遊合螺旋ネジ螺合構造となる隙間０.５mm程度の遊合嵌合となる市販標準金属パイプを用いて、それぞれに適正遊合螺旋螺合ネジを形成する転造正弦波状概丸形雄ネジを、金属パイプ雄ネジ構造体においては全長さ、金属パイプ雌ネジ構造体においては金属伸縮ポール支持設置構造体の金属パイプ垂直支持用ザグリ穴に挿入する部分を除いた全長さで設け、且つ金属パイプ雌ネジ構造体の金属パイプ垂直支持用ザグリ穴挿入部分外径（Ｄ５３）を転造絞り加工等により金属パイプ雄ネジ構造体の雄ネジ山部頂点外径（Ｄ６１）より小径（０.５〜１mm程度）とするとともに、適正遊合螺旋螺合ネジ嵌合した金属パイプ雄ネジ構造体及び金属パイプ雌ネジ構造体の両側に、伸縮ポール設置構造体との設置底面の両端近傍に円柱状ゴムを設け且つ金属パイプ垂直支持用のザグリ穴を、穴内周面に軽圧入対応垂直リブを等分割に４個所、１mm程度の高さで、且つリブ頂点内径（Ｄ７１）が金属パイプ雄ネジ構造体の雄ネジ山部頂点外径（Ｄ６１）より小さく、且つ金属パイプ雌ネジ構造体の金属パイプ垂直支持用ザグリ穴挿入部外径（Ｄ５３）より大きい径となる構造で設置し、伸縮ポールの必要機能を充たす伸縮ポール設置構造体との設置面構造と筐体構造を有する、同一のプラスチック製金属伸縮ポール支持設置構造体を、金属パイプ雄ネジ構造体側においては軽圧入嵌合、金属パイプ雌ネジ構造体側においては遊合嵌合にて設置する組合せ構造とした、大調整代対応金属パイプ転造螺旋ネジ螺合式シンプル伸縮ポールの全体正面図である。
【符号の説明】
【００１９】
1       伸縮ポール設置用家具等の天板（伸縮ポール設置構造体）
2       伸縮ポール設置木造住宅天井（伸縮ポール設置構造体：石膏ボード等）
10     大調整代対応木製円筒部分頂点平坦正弦波状概丸形雌ネジ構造体
11     上記（10）雌ネジ構造体の部分頂点平坦正弦波状概丸形雌ネジ部
111    上記（11）頂点平坦正弦波状概丸形雌ネジ部の谷部平坦部
112    上記（11）頂点平坦正弦波状概丸形雌ネジ部の山部（頂点）平坦部
12     上記（10）雌ネジ構造体の雌ネジ谷径より若干大きい逃げ内径部
13     上記（10）雌ネジ構造体のゴムＯリング設置用Ｏリング状溝
14     上記（10）雌ネジ構造体のネジ螺合伸縮調整回転用貫通穴
15     上記（10）雌ネジ構造体の飾り溝
20     木製一体フランジ付円柱頂点平坦正弦波状概丸形雄ネジ構造体
21     上記（20）雄ネジ構造体の頂点平坦正弦波状概丸形雄ネジ部
211    上記（21）頂点平坦正弦波状概丸形雄ネジ部の山部（頂点）平坦部
212    上記（21）頂点平坦正弦波状概丸形雄ネジ部の谷部平坦部
22     上記（20）雄ネジ構造体のフランジ部
23     上記（20）雄ネジ構造体のゴムＯリング設置用Ｏリング溝
24     上記（20）雄ネジ構造体のネジ螺合伸縮調整回転用ザグリ穴
25     上記（20）雄ネジ構造体の飾り溝
G1     上記（10）雌ネジ構造体および（20）雄ネジ構造体設置ゴムＯリング-1
D1     上記（10）雌ネジ構造体の雌ネジ谷径
D2     上記（10）雌ネジ構造体の雌ネジ谷径より若干大きい逃げ内径
L1     上記（10）雌ネジ構造体の雌ネジ形成部寸法≒必要最小螺旋ネジ螺合寸法
L2     伸縮ポール最大螺旋ネジ螺合伸縮調整寸法
H1     伸縮ポール設置最大間隔寸法
ａ     ゴムＯリング-1潰れ代≒適正突っ張り（圧縮）荷重≒位置ずれ防止必要弾性代
30     木製段・切断ガイド溝付円柱部分角丸台形雄ネジ構造体
31     上記（30）雄ネジ構造体の角丸台形雄ネジ部
311    上記（31）角丸台形雄ネジ部の角丸形状山部
312    上記（31）角丸台形雄ネジ部の角丸形状谷部
32     上記（30）雄ネジ構造体の大径円筒部
33     上記（30）雄ネジ構造体の飾り溝兼用鋸切断ガイド用溝
34     上記（30）雄ネジ構造体のネジ螺合伸縮調整回転用貫通穴
40     小調整代対応木製円筒４分割円弧状角丸台形雌ネジ構造体
41     上記（40）雌ネジ構造体の４分割円弧状角丸台形雌ネジ部
411    上記（41）４分割円弧状角丸台形雌ネジ部の角丸形状谷部
412    上記（41）４分割円弧状角丸台形雌ネジ部の角丸形状山部
42     上記（40）雌ネジ構造体の部ゴムＯリング設置用Ｏリング状溝
43     上記（40）雌ネジ構造体のネジ螺合伸縮調整回転用貫通穴
44     上記（40）雌ネジ構造体の飾り溝
45     上記（40）雌ネジ構造体の伸縮ポール設置構造体締結木用ネジ用ザグリ段差穴
G2     上記（40）雌ネジ構造体設置ゴムＯリング-2
N1     伸縮ポール設置構造体締結用木用ネジ
L3     上記（40）雌ネジ構造体の全長寸法
L4     伸縮ポール必要最小間欠螺旋ネジ螺合寸法
L5     伸縮ポール最大伸縮ネジ螺合調整寸法＝（L7×1.2)以上
L6     上記（30）雄ネジ構造体の有効雄ネジ寸法
L7     上記（30）雄ネジ構造体の飾り溝兼鋸切断ガイド用溝ピッチ寸法
＝（L5×0.8)以下
L8     上記（30）雄ネジ構造体の全長寸法
H2     伸縮ポール設置最小間隔寸法
H3     伸縮ポール設置最大間隔寸法
ｈ      上記（40）雌ネジ構造体の４分割円弧状角丸台形雌ネジ形成外形部圧縮寸法
ｂ     ゴムＯリング-2潰れ代≒適正突っ張り（圧縮）荷重≒位置ずれ防止必要弾性代
50     金属パイプ転造正弦波概丸形雌ネジ構造体
51     上記（50）転造正弦波状概丸形雌ネジ谷部頂点外径部
52     上記（50）転造正弦波状概丸形雌ネジ山部頂点（内径）部
53     上記（50）垂直維持用ザグリ穴挿入外径部（転造絞り加工部）
54     上記（50）雌ネジ構造体のネジ螺合伸縮調整回転用貫通穴
D51    上記（50）転造正弦波状概丸形雌ネジ谷部頂点外径部外径
D52    上記（50）転造正弦波状概丸形雌ネジ山部頂点内径
D53    上記（50）雌ネジ構造体の垂直維持用ザグリ穴挿入部外径
60     金属パイプ転造正弦波概丸形雌ネジ雄ネジ構造体
61     上記（60）転造正弦波状概丸形雌ネジ山部頂点外径部
62     上記（60）転造正弦波状概丸形雄ネジ谷部頂点内径部
D61    上記（60）転造正弦波状概丸形雄ネジ山部頂点外径
D62    上記（60）転造正弦波状概丸形雄ネジ谷部頂点内径部内径
70      プラスチック製金属伸縮ポール支持設置構造体
71      上記（70）伸縮ポール設置構造体設置面底面部
72      上記（70）金属パイプネジ構造体垂直支持用ザグリ穴内周面軽圧入対応垂直リ
ブ部（等分割４個所）
73      上記（70）円柱状ゴム設置用ザグリ穴（対象位置２箇所）
D71    上記（70）金属パイプネジ構造体垂直支持用ザグリ穴内周リブ頂点内径
G3      上記（70）ザグリ穴設置、位置ずれ防止等用円柱状ゴム（対象位置２箇所）
ｃ      上記（G3）ゴムの潰れ代≒適正突っ張り(圧縮)荷重≒位置ずれ防止必要弾性代
ｔ      金属パイプ雄ネジ構造体の肉厚
Ｐ      適正遊合螺旋ネジ螺合のネジリードピッチ寸法
H4     伸縮ポール設置最大間隔寸法
H5     プラスチック製金属伸縮ポール支持設置構造体高さ
L9     適正遊合螺旋ネジ螺合最大伸縮調整寸法
L10    雌ネジ構造体のネジ螺合伸縮調整回転用貫通穴位置参考寸法(L10≧L9)
L11     最小螺旋ネジ螺合寸法（伸縮ポールの強度等必要機能上）
【図１】
0003141641.tif 000003
【図２】
0003141641.tif 000004
【図３】
0003141641.tif 000005
【図４】
0003141641.tif 000006
【図５】
0003141641.tif 000007
【図６】
0003141641.tif 000008
【図７】
0003141641.tif 000009
【図８】
0003141641.tif 000010
【図９】
0003141641.tif 000011
【手続補正書】
【提出日】平成20年1月31日(2008.1.31)
【手続補正１】
【補正対象書類名】図面
【補正対象項目名】全図
【補正方法】変更
【補正の内容】
【図１】
0003141641.tif 000012
【図２】
0003141641.tif 000013
【図３】
0003141641.tif 000014
【図４】
0003141641.tif 000015
【図５】
0003141641.tif 000016
【図６】
0003141641.tif 000017
【図７】
0003141641.tif 000018
【図８】
0003141641.tif 000019
【図９】
0003141641.tif 000020
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
伸縮ポールにおいて、伸縮機能部構造を雄ネジと雌ネジの螺旋ネジ螺合だけで行う構造とするとともに、螺旋ネジの形状を、三角ネジ、もしくは台形ネジ、もしくは角部をＲ面取り形状とした角丸三角形ネジ、もしくは角部をＲ面取り形状とした角丸台形ネジ、もしくは正弦波状概丸形ネジ、もしくは山部の頂点部に若干の平坦部を有する形状とした頂点平坦正弦波状概丸形ネジ、もしくは山部の頂点部に若干の平坦部を有する形状とした頂点平坦角丸三角形ネジ等の構造とし、且つ雄ネジと雌ネジの形成を切削せず、転造もしくはプレス等の加工方法で形成する構造としたことを特徴とした、伸縮ポール。
【請求項２】
請求項１記載の転造もしくはプレス等の加工方法で形成する構造としたことを特徴とした伸縮ポールにおいて、雄ネジ及び雌ネジ構造体構造を、ネジ形成前構造において両者とも円筒のストレート金属パイプ構造で且つ雄ネジ用金属パイプの外径と雌ネジ金属パイプの内径とがネジ形成後において適正遊合螺旋ネジ螺合構造となる範囲の遊合嵌合となる金属パイプを用いて、それぞれに雄ネジ及び雌ネジを全長、若しくは必要機能長さにて形成し、適正遊合螺旋ネジ螺合構造とするとともに、金属パイプ雄ネジ構造体及び金属パイプ雌ネジ構造体のそれぞれの伸縮ポール設置構造体設置面側に金属パイプ雄ネジ構造体及び金属パイプ雌ネジ構造体のそれぞれの外径部に嵌合する垂直支持用のザグリ穴を有し且つ伸縮ポールの必要機能を充たす伸縮ポール設置構造体との設置面及び筐体構造を有するプラスチック製金属伸縮ポール支持設置構造体を設置する組合せ構造としたことを特徴とした、伸縮ポール。
【請求項３】
請求項１又は２記載の転造もしくはプレス等の加工方法で形成する構造としたことを特徴とした伸縮ポールにおいて、金属パイプ雌ネジ構造体のプラスチック製金属伸縮ポール支持設置構造体ザグリ穴嵌合部をネジ無しのストレート円筒形状とするともに、その外径を金属パイプ雄ネジ構造体の雄ネジ頂点部外径と近似同一径もしくは若干の小径とし、プラスチック製金属伸縮ポール支持設置構造体を雄ネジ側と雌ネジ側を同一構造体としたことを特徴とした、伸縮ポール。
【請求項４】
請求項１記載の転造もしくはプレス等の加工方法で形成する構造としたことを特徴とした伸縮ポールにおいて、雌ネジ構造体構造を木製の円筒体もしくは正方体もしくは長方体とするとともに、雌ネジ形成前構造を雌ネジ谷径と同一もしくは雌ネジ谷径より適正遊合間欠螺旋ネジ螺合構造となる範囲で若干大きくした貫通穴を開けた構造体とし、その貫通穴に適正遊合間欠螺旋ネジ螺合構造となる近似雄ネジ形状等の金型をセットした状態で雌ネジ構造体外周の複数方向から円筒軸中心に対し平行に加圧し雌ネジを形成した、木製分割円弧状雌ネジ構造とし、伸縮機能部構造を木製適正遊合間欠螺旋ネジ螺合構造としたことを特徴とした、伸縮ポール。
【請求項５】
請求項１又は４記載の転造もしくはプレス等の加工方法で形成する構造としたことを特徴とした伸縮ポールにおいて、雄ネジ構造体構造を外周全雄ネジの木製全ストレート円柱全雄ネジ構造体もしくは伸縮ポール設置側端面となる片端面側にネジ外形より大きい円形のフランジ部を設けフランジ部とその根元部を除く全外周に雄ネジを設置した木製一体フランジ付円柱雄ネジ構造体とするとともに、雌ネジ構造体構造を、雄ネジとの螺合側端面から機能上必要充分な長さだけ螺旋雌ネジもしくは間欠螺旋雌ネジを設置し残りの内径部を雌ネジ谷径より若干大きい逃げ内径構造とし且つ外形部をストレート構造とした木製大伸縮調整代対応の円筒体もしくは圧縮面平坦円筒体もしくは圧縮面楕円形状円筒体の部分雌ネジ構造体とし、木製雌ネジ構造体と木製雄ネジ構造体との一対のシンプル組合せ構造としたことを特徴とした、伸縮ポール。
【請求項６】
請求項１又は４記載の転造もしくはプレス等の加工方法で形成する構造としたことを特徴とした伸縮ポールにおいて、雄ネジ構造体構造を、伸縮調整仕様範囲の最大値長さを全長とし、且つ、ストレート円柱体に雌ネジ構造体との螺合端面側外形部に雌ネジ構造体より若干長い長さで有効螺旋雄ネジを設けネジを設置しない外形部に雌ネジ構造体の伸縮調整代寸法に０.８を乗じた値よりも小さいピッチで鋸切断ガイド用溝を飾り溝兼用等の構造で施した木製切断ガイド溝付ストレート円柱部分雄ネジ構造体、もしくは雌ネジ構造体との螺合端面側外形部に雌ネジ構造体より若干長い長さで有効螺旋雄ネジを設け且つ伸縮ポール設置構造体設置面側を雄ネジ外形よりも太く長い大径円柱部を有する構造とし更にその外径部に雌ネジ構造体の伸縮調整代寸法に０.８を乗じた値よりも小さいピッチで鋸切断ガイド用溝を飾り溝兼用等の構造で施した木製段・切断ガイド溝付円柱部分雄ネジ構造体とするとともに、雌ネジ構造体構造を、強度含めた必要機能充分なる適正遊合螺旋ネジ螺合寸法もしくは適正遊合間欠螺旋ネジ螺合寸法に雄ネジ構造体の鋸切断ガイド用溝ピッチ寸法に１.２を乗じた値以上の寸法とした伸縮調整寸法を加算した長さ寸法とした小伸縮調整代対応の円筒体もしくは圧縮面平坦円筒体もしくは圧縮面楕円形状円筒体もしくは正方形体もしくは長方形体の木製小伸縮調整代対応雌ネジ構造体とし、円柱雄ネジ構造体の長さを両側伸縮ポール設置構造体の間隔より鋸切断ガイド溝ピッチ以下の範囲で短くなるよう伸縮ポール設置構造体設置面側を鋸切断ガイド用溝位置で顧客等が切断して合わす構造とし、木製雌ネジ構造体を木製雄ネジ構造体の片端面に螺合組合せする一対のシンプル組合せ構造としたことを特徴とした、伸縮ポール。
【請求項７】
請求項１、２、３、４、６のいずれか１項に記載の転造もしくはプレス等の加工方法で形成する構造としたことを特徴とした伸縮ポールにおいて、木製雌ネジ構造体、若しくはプラスチック製金属伸縮ポール支持設置構造体に伸縮ポール設置構造体締結木用ネジ用ザグリ段差穴を複数設けた構造としたことを特徴とした、伸縮ポール。
【請求項８】
請求項１〜７のいずれか１項に記載の転造もしくはプレス等の加工方法で形成する構造としたことを特徴とした伸縮ポールにおいて、雌ネジ構造体、若しくは雌ネジ構造体及び雄ネジ構造体の両者に、ネジ螺合伸縮調整回転用ザグリ穴もしくは貫通穴を軸中心で対象となる構造で設置した構造としたことを特徴とした、伸縮ポール。
【請求項９】
請求項１、４〜８のいずれか１項に記載の転造もしくはプレス等の加工方法で形成する構造としたことを特徴とした伸縮ポールにおいて、木製雌ネジ構造体、若しくは木製雌ネジ構造体及び木製雄ネジ構造体の両者の伸縮ポール設置構造体設置面側底面に、伸縮ポール設置構造体締結木用ネジ用ザグリ段差穴等との干渉及び伸縮ポール設置構造体との必要接合面積特性等強度含めた必要機能に支障を及ぼすことの無い且つ外周に平坦面が確保される構造で、木製雌ネジ構造体、木製雄ネジ構造体それぞれの外形寸法より若干小さい外径で、更にゴムの潰れ代が位置ずれ防止の機能を有し且つ伸縮ポール設置の適正突っ張り荷重近似値での潰れ寸法となる深さ、等を考慮した市販寸法のゴムＯリングに適合したＯリング状の溝を設け、その溝にＯリングを組込む構造としたことを特徴とした、伸縮ポール。
【請求項１０】
請求項１又は２又は３記載の転造もしくはプレス等の加工方法で形成する構造としたことを特徴とした伸縮ポールにおいて、プラスチック製金属伸縮ポール支持設置構造体の伸縮ポール設置構造体設置面側底面に、ゴムの潰れ代が位置ずれ防止の機能を有し且つ伸縮ポール設置の適正突っ張り荷重近似値での潰れ寸法となる深さ、等を考慮した円柱状ゴムの形状に合わせたザグリ穴を外周近郊部に対象形構造で複数設け、そのザグリ穴部に円柱状ゴムを組込む構造としたことを特徴とした、伸縮ポール。
【手続補正２】
【補正対象書類名】明細書
【補正対象項目名】０００４
【補正方法】変更
【補正の内容】
【０００４】
この課題を解決するための請求項１の考案は、伸縮ポールにおいて、伸縮機能部構造を雄ネジと雌ネジの螺旋ネジ螺合だけで行う構造とするとともに、螺旋ネジの形状を、三角ネジ、もしくは台形ネジ、もしくは角部をＲ面取り形状とした角丸三角形ネジ、もしくは角部をＲ面取り形状とした角丸台形ネジ、もしくは正弦波状概丸形ネジ、もしくは山部の頂点部に若干の平坦部を有する形状とした頂点平坦正弦波状概丸形ネジ、もしくは山部の頂点部に若干の平坦部を有する形状とした頂点平坦角丸三角形ネジ等の構造とし、且つ雄ネジと雌ネジの形成を切削せず、転造もしくはプレス等の加工方法で形成する構造とした。本考案により安価シンプル構造化及びシンプル構造と螺旋ネジ溝外形によるインテリアデザイン性の改善が可能となり、且つ木製螺合嵌合での圧縮形成によるネジ部強度アップ及び螺合高さ調整性の改善を図ることができ環境に優しく、インテリアデザイン性に優れた伸縮ポールの木製化が実現できる。
【手続補正３】
【補正対象書類名】明細書
【補正対象項目名】０００８
【補正方法】変更
【補正の内容】
【０００８】
請求項５の考案は、請求項１又は４記載の転造もしくはプレス等の加工方法で形成する構造としたことを特徴とした伸縮ポールにおいて、雄ネジ構造体構造を外周全雄ネジの木製全ストレート円柱全雄ネジ構造体もしくは伸縮ポール設置側端面となる片端面側にネジ外形より大きい円形のフランジ部を設けフランジ部とその根元部を除く全外周に雄ネジを設置した木製一体フランジ付円柱雄ネジ構造体とするとともに、雌ネジ構造体構造を、雄ネジとの螺合側端面から機能上必要充分な長さだけ螺旋雌ネジもしくは間欠螺旋雌ネジを設置し残りの内径部を雌ネジ谷径より若干大きい逃げ内径構造とし且つ外形部をストレート構造とした木製大伸縮調整代対応の円筒体もしくは圧縮面平坦円筒体もしくは圧縮面楕円形状円筒体の部分雌ネジ構造体とし、木製雌ネジ構造体と木製雄ネジ構造体との一対のシンプル組合せ構造とした。本考案により、シンプル構造化が実現でき、安価で、且つ環境保護に適合した木製でインテリアデザイン性に優れた伸縮ポールの提供が可能となる。又、雌ネジの必要部分雌ネジ構造化で摺動抵抗の軽減効果による螺合高さ調整性の改善を図ることができる。
【手続補正４】
【補正対象書類名】明細書
【補正対象項目名】０００９
【補正方法】変更
【補正の内容】
【０００９】
請求項６の考案は、請求項１又は４記載の転造もしくはプレス等の加工方法で形成する構造としたことを特徴とした伸縮ポールにおいて、雄ネジ構造体構造を、伸縮調整仕様範囲の最大値長さを全長とし、且つ、ストレート円柱体に雌ネジ構造体との螺合端面側外形部に雌ネジ構造体より若干長い長さで有効螺旋雄ネジを設けネジを設置しない外形部に雌ネジ構造体の伸縮調整代寸法に０.８を乗じた値よりも小さいピッチで鋸切断ガイド用溝を飾り溝兼用等の構造で施した木製切断ガイド溝付ストレート円柱部分雄ネジ構造体、もしくは雌ネジ構造体との螺合端面側外形部に雌ネジ構造体より若干長い長さで有効螺旋雄ネジを設け且つ伸縮ポール設置構造体設置面側を雄ネジ外形よりも太く長い大径円柱部を有する構造とし更にその外径部に雌ネジ構造体の伸縮調整代寸法に０.８を乗じた値よりも小さいピッチで鋸切断ガイド用溝を飾り溝兼用等の構造で施した木製段・切断ガイド溝付円柱部分雄ネジ構造体とするとともに、雌ネジ構造体構造を、強度含めた必要機能充分なる適正遊合螺旋ネジ螺合寸法もしくは適正遊合間欠螺旋ネジ螺合寸法に雄ネジ構造体の鋸切断ガイド用溝ピッチ寸法に１.２を乗じた値以上の寸法とした伸縮調整寸法を加算した長さ寸法とした小伸縮調整代対応の円筒体もしくは圧縮面平坦円筒体もしくは圧縮面楕円形状円筒体もしくは正方形体もしくは長方形体の木製小伸縮調整代対応雌ネジ構造体とし、円柱雄ネジ構造体の長さを両側伸縮ポール設置構造体の間隔より鋸切断ガイド溝ピッチ以下の範囲で短くなるよう伸縮ポール設置構造体設置面側を鋸切断ガイド用溝位置で顧客等が切断して合わす構造とし、木製雌ネジ構造体を木製雄ネジ構造体の片端面に螺合組合せする一対のシンプル組合せ構造とした。本考案により、シンプル構造化が実現でき、より安価で、且つ環境保護に適合した木製でインテリアデザイン性に優れた伸縮ポールの提供が可能となる。又、雄ネジおよび雌ネジの必要部分ネジ構造化で摺動抵抗の軽減効果による螺合高さ調整性の改善を図ることができる。